(57)【要約】本願は、セカンダリ基地局がマスター基地局へ下りデータ伝送状態を報告する方法であって、セカンダリ基地局がマスター基地局からのＰＤＣＰ  ＰＤＵをユーザ機器へ送信するステップと、セカンダリ基地局が、送信成功したＰＤＣＰ  ＰＤＵのシーケンス番号を少なくとも１つ含む下りデータ伝送状態メッセージをマスター基地局へ送信するステップとを含む方法を開示する。また、本願は、マスター基地局が速やかにＰＤＣＰ  ＰＤＵを削除する方法であって、マスター基地局が、送信成功したＰＤＣＰ  ＰＤＵのシーケンス番号を少なくとも１つ含む下りデータ伝送状態メッセージをセカンダリ基地局から受信するステップと、マスター基地局が上記下りデータ伝送状態メッセージに基づき、マスター基地局内に記憶されているパケット・データ・コンバージェンス・プロトコル−プロトコル・データ・ユニット（ＰＤＣＰ  ＰＤＵ）を削除するステップとを含む方法を開示する。さらに、本願は、対応するマスター基地局及びセカンダリ基地局も開示する。
2017508364.tif 000002
【特許請求の範囲】
【請求項１】
セカンダリ基地局によって実行される通信方法であって、
セカンダリ基地局が、マスター基地局からのパケット・データ・コンバージェンス・プロトコル−プロトコル・データ・ユニット（ＰＤＣＰ  ＰＤＵ）をユーザ機器へ送信するステップと、
セカンダリ基地局が、送信成功したＰＤＣＰ  ＰＤＵのシーケンス番号を少なくとも１つ含む下りデータ伝送状態メッセージをマスター基地局へ送信するステップと、を含む方法。
【請求項２】
セカンダリ基地局が、下記条件（１）〜（３）の少なくとも１つが満たされたかどうかに基づいて、マスター基地局へ下りデータ伝送状態メッセージを送信するかどうかを判断するステップをさらに含む、請求項１に記載の方法。
（１）送信成功したＰＤＣＰ  ＰＤＵの数が設定値に達した；
（２）設定されたタイマーがタイムアップした；
（３）送信成功したＰＤＣＰ  ＰＤＵの最大シーケンス番号と最小シーケンス番号との差が、設定されたビットマップ長以上である。
【請求項３】
セカンダリ基地局は、送信成功したＰＤＣＰ  ＰＤＵの数が設定値に達したかどうかを判断し、
設定値に達した場合には、マスター基地局へ下りデータ伝送状態メッセージを送信し、
設定値に達していない場合には、セカンダリ基地局は、さらに、第１のタイマーがタイムアップしたかどうかを判断し、
第１のタイマーがタイムアップした場合には、セカンダリ基地局はマスター基地局へ下りデータ伝送状態メッセージを送信する、請求項１に記載の方法。
【請求項４】
第１のタイマーがタイムアップしていない場合には、セカンダリ基地局は、さらに、ＰＤＣＰ  ＰＤＵがすべて送信完了されたかどうかを判断し、
ＰＤＣＰ  ＰＤＵがすべて送信完了されている場合には、セカンダリ基地局は、マスター基地局へ下りデータ伝送状態メッセージを送信し、
ＰＤＣＰ  ＰＤＵがすべて送信完了されていない場合には、セカンダリ基地局は、マスター基地局へ下りデータ伝送状態メッセージを送信しない、請求項３に記載の方法。
【請求項５】
下りデータ伝送状態メッセージは、送信成功したＰＤＣＰ  ＰＤＵのシーケンス番号を含む、請求項３または４に記載の方法。
【請求項６】
上記設定値及び上記第１のタイマーの計時周期が、
マスター基地局からセカンダリ基地局へ送信される、ユーズ機器のために余分なリソースを要求する要求メッセージ内に含まれて送信されるか、基地局間無線リソース設定メッセージによってマスター基地局からセカンダリ基地局へ送信される、請求項３または４に記載の方法。
【請求項７】
セカンダリ基地局は、第２のタイマーがタイムアップしたかどうかを判断し、
第２のタイマーがタイムアップした場合には、セカンダリ基地局はマスター基地局へ下りデータ伝送状態メッセージを送信する、請求項２に記載の方法。
【請求項８】
第２のタイマーがタイムアップしていない場合には、セカンダリ基地局は、さらに、ＰＤＣＰ  ＰＤＵがすべて送信完了されたかどうかを判断し、
ＰＤＣＰ  ＰＤＵがすべて送信完了されている場合には、セカンダリ基地局は、マスター基地局へ下りデータ伝送状態メッセージを送信し、
ＰＤＣＰ  ＰＤＵがすべて送信完了されていない場合には、セカンダリ基地局は、マスター基地局へ下りデータ伝送状態メッセージを送信しない、請求項７に記載の方法。
【請求項９】
上記下りデータ伝送状態メッセージは、
送信成功したＰＤＣＰ  ＰＤＵのシーケンス番号を含むか、または、
送信成功したＰＤＣＰ  ＰＤＵの最小シーケンス番号と、該最小シーケンス番号のＰＤＣＰ  ＰＤＵに続くＰＤＣＰ  ＰＤＵをセカンダリ基地局が送信成功したかどうかを示すビットマップとを含む、請求項７または８に記載の方法。
【請求項１０】
上記第２のタイマーの計時周期が、
マスター基地局からセカンダリ基地局へ送信される、ユーズ機器のために余分なリソースを要求する要求メッセージ内に含まれて送信されるか、基地局間無線リソース設定メッセージによってマスター基地局からセカンダリ基地局へ送信される、請求項７または８に記載の方法。
【請求項１１】
セカンダリ基地局は、送信成功したＰＤＣＰ  ＰＤＵの最大シーケンス番号と最小シーケンス番号との差が、設定されたビットマップ長以上であるかを判断し、
上記差が、設定されたビットマップ長に等しく、または該ビットマップ長よりも大きい場合には、セカンダリ基地局は、マスター基地局へ下りデータ伝送状態メッセージを送信し、
上記差が、設定されたビットマップ長未満である場合には、セカンダリ基地局は、さらに、第３のタイマーがタイムアップしたかどうかを判断し、
第３のタイマーがタイムアップした場合には、セカンダリ基地局は、マスター基地局へ下りデータ伝送状態メッセージを送信する、請求項２に記載の方法。
【請求項１２】
第３のタイマーがタイムアップしていない場合には、セカンダリ基地局は、さらに、ＰＤＣＰ  ＰＤＵがすべて送信完了されたかどうかを判断し、
ＰＤＣＰ  ＰＤＵがすべて送信完了されている場合には、セカンダリ基地局は、マスター基地局へ下りデータ伝送状態メッセージを送信し、
ＰＤＣＰ  ＰＤＵがすべて送信完了されていない場合には、セカンダリ基地局は、マスター基地局へ下りデータ伝送状態メッセージを送信しない、請求項１１に記載の方法。
【請求項１３】
上記下りデータ伝送状態メッセージは、
送信成功したＰＤＣＰ  ＰＤＵの最小シーケンス番号と、該最小シーケンス番号のＰＤＣＰ  ＰＤＵに続くＰＤＣＰ  ＰＤＵをセカンダリ基地局が送信成功したかどうかを示すビットマップとを含む、請求項１１または１２に記載の方法。
【請求項１４】
上記差が、設定されたビットマップ長よりも大きい場合には、セカンダリ基地局は、さらに、ＰＤＣＰ  ＰＤＵがすべて送信完了されたかどうかを判断し、
ＰＤＣＰ  ＰＤＵがすべて送信完了されている場合には、セカンダリ基地局は、直近１回の送信成功したＰＤＣＰ  ＰＤＵのシーケンス番号を含む下りデータ伝送状態メッセージをマスター基地局へ送信し、
ＰＤＣＰ  ＰＤＵがすべて送信完了されていない場合には、セカンダリ基地局は、マスター基地局へ下りデータ伝送状態メッセージを送信しない、請求項１１または１２に記載の方法。
【請求項１５】
上記ビットマップ長は、
マスター基地局からセカンダリ基地局へ送信される、ユーズ機器のために余分なリソースを要求する要求メッセージ内に含まれて送信されるか、基地局間無線リソース設定メッセージによってマスター基地局からセカンダリ基地局へ送信される、請求項１１または１２に記載の方法。
【請求項１６】
マスター基地局からのパケット・データ・コンバージェンス・プロトコル−プロトコル・データ・ユニット（ＰＤＣＰ  ＰＤＵ）をユーザ機器へ送信するためのデータ送信ユニットと、
送信成功したＰＤＣＰ  ＰＤＵのシーケンス番号を少なくとも１つ含む下りデータ伝送状態メッセージをマスター基地局へ送信するための下りデータ伝送状態メッセージ送信ユニットと、を含むセカンダリ基地局。
【請求項１７】
下記条件（１）〜（３）の少なくとも１つが満たされたかどうかに基づいて、マスター基地局へ下りデータ伝送状態メッセージを送信するかどうかを判断する判断ユニットをさらに含む、請求項１６に記載のセカンダリ基地局。
（１）送信成功したＰＤＣＰ  ＰＤＵの数が設定値に達した；
（２）設定されたタイマーがタイムアップした；
（３）送信成功したＰＤＣＰ  ＰＤＵの最大シーケンス番号と最小シーケンス番号との差が、設定されたビットマップ長以上である。
【請求項１８】
マスター基地局によって実行される通信方法であって、
マスター基地局が、送信成功したパケット・データ・コンバージェンス・プロトコル−プロトコル・データ・ユニット（ＰＤＣＰ  ＰＤＵ）のシーケンス番号を少なくとも１つ含む下りデータ伝送状態メッセージをセカンダリ基地局から受信するステップと、
マスター基地局が上記下りデータ伝送状態メッセージに基づき、マスター基地局内に記憶されているＰＤＣＰ  ＰＤＵを削除するステップと、を含む方法。
【請求項１９】
送信成功したパケット・データ・コンバージェンス・プロトコル−プロトコル・データ・ユニット（ＰＤＣＰ  ＰＤＵ）のシーケンス番号を少なくとも１つ含む下りデータ伝送状態メッセージを、セカンダリ基地局から受信するための下りデータ伝送状態メッセージ受信ユニットと、
上記下りデータ伝送状態メッセージに基づき、マスター基地局内に記憶されているＰＤＣＰ  ＰＤＵを削除するためのＰＤＣＰ  ＰＤＵ削除ユニットと、を含むマスター基地局。
【発明の詳細な説明】
【発明の詳細な説明】
【０００１】
〔技術分野〕
本発明は、モバイル通信分野に関する。具体的には、セカンダリ基地局がマスター基地局へ下りデータ伝送状態を報告する方法、マスター基地局が速やかにパケット・データ・コンバージェンス・プロトコル−プロトコル・データ・ユニット（ＰＤＣＰ  ＰＤＵ）を削除する方法、並びに対応するマスター基地局及びセカンダリ基地局に関する。
〔背景技術〕
第３世代モバイル通信パートナ・プロジェクト（３ＧＰＰ）によるロング・ターム・エボリューション（ＬＴＥ）システムにおいて、レイヤ２（Ｌａｙｅｒ２）のユーザ・プレーン・プロトコル・スタック（Ｕｓｅｒ−Ｐｌａｎｅ  Ｐｒｏｔｏｃｏｌ  Ｓｔａｃｋ）は、上位から順に、パケット・データ・コンバージェンス・プロトコル（Ｐａｃｋｅｔ  Ｄａｔａ  Ｃｏｎｖｅｒｇｅｎｃｅ  Ｐｒｏｔｏｃｏｌ；ＰＤＣＰ）レイヤ、無線リンク制御（Ｒａｄｉｏ  Ｌｉｎｋ  Ｃｏｎｔｒｏｌ；ＲＬＣ）レイヤ、メディアアクセス制御（Ｍｅｄｉａ  Ａｃｃｅｓｓ  Ｃｏｎｔｒｏｌ；ＭＡＣ）レイヤという３つのサブレイヤからなる。送信側では、上位のレイヤからサービス・データ・ユニット（Ｓｅｒｖｉｃｅ  Ｄａｔａ  Ｕｎｉｔ；ＳＤＵ）を受信し、当該レイヤにサービスを提供すると共に、下位のレイヤへプロトコル・データ・ユニット（Ｐｒｏｔｏｃｏｌ  Ｄａｔａ  Ｕｎｉｔ；ＰＤＵ）を送信する。例えば、ＲＬＣレイヤは、ＰＤＣＰからのパケット（ｐａｃｋｅｔ）を受信する。このようなパケットは、ＰＤＣＰレイヤにとってはＰＤＣＰ  ＰＤＵであるが、ＲＬＣレイヤにとってはＲＬＣ  ＰＤＵである。一方、受信側では、上記のプロセスは逆であり、すなわち各レイヤが上位のレイヤへＳＤＵを送信し、上位のレイヤがＳＤＵをＰＤＵとして受信する。ＰＤＣＰ  ＳＤＵは、ＩＰのヘッダ圧縮（Ｈｅａｄｅｒ  Ｃｏｍｐｒｅｓｓｉｏｎ）、暗号化、及びＰＤＣＰヘッダ（ＰＤＣＰ  Ｈｅａｄｅｒ）の付加を経た後、ＰＤＣＰ  ＰＤＵとしてマッピングされる。そして、ＲＬＣ  ＳＤＵは、ＭＡＣレイヤによって指定されるサイズに応じてセグメント化／直列化（ｓｅｇｍｅｎｔｓ  ａｎｄ／ｏｒ  ｃｏｎｃａｔｅｎａｔｅｓ）されると共に、ＲＬＣヘッダ（ＲＬＣ  Ｈｅａｄｅｒ）が増加した後、ＲＬＣ  ＰＤＵとしてマッピングされる。ＰＤＣＰ  ＳＤＵは、ＰＤＣＰシーケンス番号（ｓｅｑｕｅｎｃｅ  ｎｕｍｂｅｒ；ＳＮ）により示される。また、ＰＤＣＰ  ＳＤＵは、対応するＰＤＣＰ  ＰＤＵ及びＲＬＣ  ＳＤＵとは同じシーケンス番号を有する。なお、ＲＬＣ  ＰＤＵは、ＲＬＣシーケンス番号により示される。
【０００２】
３ＧＰＰ  ＬＴＥバージョン１１では、各々の無線ベアラ（ｂｅａｒｅｒ）は、１つのＰＤＣＰ実体（ｅｎｔｉｔｙ）と１つのＲＬＣ実体とを含む。各々の基地局（ＮｏｄｅＢまたはエボリューション型ＮｏｄｅＢ（ｅＮＢ）ともいう）及び各々のユーザ機器（ＵＥ）は、何れも１つのＭＡＣ実体を有する。基地局またはユーザ機器内のＲＬＣ実体は、ＲＬＣ  ＳＤＵの各セグメント（ｓｅｇｍｅｎｔ）に対応するＲＬＣ  ＰＤＵを送信することが成功した後、同基地局またはユーザ機器内に位置するＰＤＣＰ実体に、ＰＤＣＰ  ＰＤＵの送信成功のインジケーションを送信する。ＰＤＣＰ実体は、上記ＰＤＣＰ  ＰＤＵの送信成功のインジケーションを受信した後、上位のレイヤからより多くのＰＤＣＰ  ＳＤＵを受信するために、対応のＰＤＣＰ  ＰＤＵを削除し、ＰＤＣＰ実体の再伝送バッファ（ｒｅｔｒａｎｓｍｉｓｓｉｏｎ  ｂｕｆｆｅｒ）を解放する。ここで、ユーザ機器は、ユーザ端末、ユーザノード、携帯端末及びタブレットコンピュータの何れであってもよい。
【０００３】
現在、制定中の３ＧＰＰ  ＬＴＥバージョン１２の規格には、デュアル接続（ｄｕａｌ  ｃｏｎｎｅｃｔｉｖｉｔｙ）機能を有するユーザ機器、マスター基地局（Ｍａｓｔｅｒ  ｅＮＢ；ＭｅＮＢ）、セカンダリ基地局（Ｓｅｃｏｎｄａｒｙ  ｅＮＢ；ＳｅＮＢ）に関する規格を含む。マスター基地局は、ユーザ機器の無線リソース管理（Ｒａｄｉｏ  Ｒｅｓｏｕｒｃｅ  Ｍａｎａｇｅｍｅｎｔ；ＲＲＭ）の測定及び設定を確保すると共に、受信した測定報告、通信量状況（ｔｒａｆｆｉｃ  ｃｏｎｄｉｔｉｏｎｓ）またはベアラのタイプ（ｂｅａｒ  ｔｙｐｅ）に基づき、ユーザ機器に余分のリソースを提供することをセカンダリ基地局に要求する（当該セカンダリ基地局のカバー範囲はユーザ機器のサービスセル（ｓｅｒｖｉｎｇ  ｃｅｌｌｓ）という）。セカンダリ基地局は、マスター基地局の要求を受信した後、ユーザ機器のためにサービスセルを設定するか、充分なリソースが無いとして上記の要求を拒絶する。
【０００４】
３ＧＰＰ  ＴＳＧ―ＲＡＮ２第８３ｂｉｓ会議では、ベアラ分割（ｂｅａｒｅｒ  ｓｐｌｉｔ）の異なる方式や異なるユーザ・プレーン・プロトコル・スタックに基づき、デュアル接続の設定スキームの標準化オプションとして、１Ａ及び３Ｃという２種類のユーザ・プレーン構築（Ｕｓｅｒ−ｐｌａｎｅ  Ａｒｃｈｉｔｅｃｔｕｒｅ）が確定されている。図１に示されたオプション３Ｃは以下の特徴を有する。（１）マスター基地局がＳｌ−Ｕインターフェースを通してサービスゲートウェイ（Ｓｅｒｖｉｎｇ  Ｇａｔｅｗａｙ；Ｓ−ＧＷ）と通信する。（２）ベアラがマスター基地局内において分割される。（３）分割されたベアラ（ｓｐｌｉｔ  ｂｅａｒｅｒ）について、マスター基地局及びセカンダリ基地局の何れにも、対応するＲＬＣ実体（ｅｎｔｉｔｙ）が存在する。オプション３Ｃでは、セカンダリ基地局に位置するＲＬＣ実体が、Ｘ２インターフェースを通して、上位のレイヤ（すなわち、マスター基地局に位置するＰＤＣＰ実体）とインターフェースインタラクティブする。
【０００５】
非デュアル接続の設定スキームにおいて、ＰＤＣＰ実体及びＲＬＣ実体が同一基地局内に位置するため、ＲＬＣ  ＳＤＵの送信が成功したと同時に、上記送信が成功したＲＬＣ  ＳＤＵに対応するＰＤＣＰ  ＳＤＵ及びＰＤＣＰ  ＰＤＵを削除することができる。上記のプロセスは基地局の内部で実現でき、標準化する必要がない。しかし、デュアル接続の設定スキームのオプション３Ｃにおいて、分割されたベアラに対応するＰＤＣＰ実体及び１つのＲＬＣ実体がマスター基地局内に位置するが、もう１つのＲＬＣ実体はセカンダリ基地局内に位置する。現行の非デュアル接続の設定スキームでは、セカンダリ基地局が送信成功したＰＤＣＰ  ＰＤＵを削除するときに、マスター基地局における、対応するＰＤＣＰ  ＰＤＵ及びＰＤＣＰ  ＳＤＵを削除するという課題を解決できない。したがって、送信が成功したＰＤＣＰ  ＳＤＵ及びＰＤＣＰ  ＰＤＵは、再伝送バッファに長時間保持され、上記ＰＤＣＰ  ＳＤＵ削除タイマー(ｄｉｓｃａｒｄｔｉｍｅｒ)がタイムアップするまでは削除されず、記憶スペースの浪費につながる。さらに、送信が成功したＰＤＣＰ  ＳＤＵ及びＰＤＣＰ  ＰＤＵが再伝送バッファに長時間保持され、大量な記憶スペースを占めているため、上位のレイヤによって送信されるＰＤＣＰ  ＳＤＵのレートが比較的に高い場合には、ＰＤＣＰの再伝送バッファが、送信が成功したがタイムアップしていないＰＤＣＰ  ＳＤＵに占められ切るため、新しく到着するＰＤＣＰ  ＳＤＵが破棄され、無線リンクの信頼性に影響を及ぼす。
〔発明の内容〕
従来の技術に存在する上記の問題に鑑み、本発明は、マスター基地局が、セカンダリ基地局が送信成功したＰＤＣＰ  ＰＤＵを削除できるメカニズムを提供することを目的とする。
【０００６】
上記の目的を実現するために、本発明の第一態様は、セカンダリ基地局によって実行される通信方法であって、セカンダリ基地局が、マスター基地局からのＰＤＣＰ  ＰＤＵをユーザ機器へ送信するステップと、セカンダリ基地局が、送信成功したＰＤＣＰ  ＰＤＵのシーケンス番号を少なくとも１つ含む下りデータ伝送状態メッセージをマスター基地局へ送信するステップとを含む方法を提供する。
【０００７】
選択可能な構成として、本発明の第一態様に係る方法は、セカンダリ基地局が、少なくとも１つの条件が満たされたかどうかに基づいて、マスター基地局へ下りデータ伝送状態メッセージを送信するかどうかを判断するステップをさらに含んでもよい。上記少なくとも１つの条件とは、（１）送信成功したＰＤＣＰ  ＰＤＵの数が設定値に達した；（２）設定されたタイマーがタイムアップした；（３）送信成功したＰＤＣＰ  ＰＤＵの最大シーケンス番号と最小シーケンス番号との差が、設定されたビットマップ長以上である。
【０００８】
本発明の第二態様は、データ送信ユニット及び下りデータ伝送状態メッセージ送信ユニットを含むセカンダリ基地局を提供する。上記データ送信ユニットはＰＤＣＰ  ＰＤＵを送信する。上記下りデータ伝送状態メッセージ送信ユニットは、少なくとも１つのＰＤＣＰ  ＰＤＵの送信が成功した後に、ＰＤＣＰ  ＰＤＵを送信成功したＰＤＣＰ  ＰＤＵのシーケンス番号を少なくとも１つ含む下りデータ伝送状態メッセージをマスター基地局へ送信する。
【０００９】
選択可能な構成として、本発明の第二態様に係るセカンダリ基地局は、判断ユニットをさらに含んでもよい。上記判断ユニットは、下記条件（１）〜（３）の少なくとも１つが満たされたかどうかに基づいて、マスター基地局へ下りデータ伝送状態メッセージを送信するかどうかを判断する。（１）送信成功したＰＤＣＰ  ＰＤＵの数が設定値に達した；（２）設定されたタイマーがタイムアップした；及び（３）送信成功したＰＤＣＰ  ＰＤＵの最大シーケンス番号と最小シーケンス番号との差が、設定されたビットマップ長以上である。
【００１０】
本発明の第三態様は、マスター基地局によって実行される方法であって、マスター基地局がセカンダリ基地局から下りデータ伝送状態メッセージを受信するステップと、マスター基地局が上記下りデータ伝送状態メッセージに基づき、マスター基地局内に記憶されているＰＤＣＰ  ＰＤＵを削除するステップとを含む方法を提供する。
【００１１】
本発明の第四態様は、下りデータ伝送状態メッセージ受信ユニットと、ＰＤＣＰ  ＰＤＵ削除ユニットとを含むマスター基地局を提供する。上記下りデータ伝送状態メッセージ受信ユニットは、送信成功したパケット・データ・コンバージェンス・プロトコル−プロトコル・データ・ユニット（ＰＤＣＰ  ＰＤＵ）のシーケンス番号を少なくとも１つ含む下りデータ伝送状態メッセージをセカンダリ基地局から受信する。上記ＰＤＣＰ  ＰＤＵ削除ユニットは、上記下りデータ伝送状態メッセージに基づき、マスター基地局内に記憶されているＰＤＣＰ  ＰＤＵを削除する。
【００１２】
本発明で提案される技術的方案を用いることにより、マスター基地局は、セカンダリ基地局がＰＤＣＰ  ＰＤＵを送信成功した後、対応するＰＤＣＰ  ＰＤＵを速やかに削除することができる。これにより、マスター基地局の記憶スペースを節約でき、上位のレイヤからより多くのサービス・データ・ユニットを受信することができる。
〔図面の簡単な説明〕
以下、図面を参照しながら詳細に説明することにより、本発明の上記特徴及び他の特徴はさらに明白になる。
【００１３】
図１は、３ＧＰＰ  ＴＲ３６．８４２において提案されたデュアル接続設定のオプション３Ｃを示す図である。
【００１４】
図２は、本発明において、セカンダリ基地局が送信成功したＰＤＣＰ  ＰＤＵをマスター基地局が削除可能な通信プロセスを示す系列図である。
【００１５】
図３は、本発明において、セカンダリ基地局がマスター基地局へ下りデータ伝送状態を報告する方法を示すフローチャートである。
【００１６】
図４は、本発明において、マスター基地局が速やかにＰＤＣＰ  ＰＤＵを削除する方法を示すフローチャートである。
【００１７】
図５は、本発明の例示的な一実施例において、セカンダリ基地局がマスター基地局へ下りデータ伝送状態を報告する方法を示すフローチャートである。
【００１８】
図６は、本発明の例示的な別の実施例において、セカンダリ基地局がマスター基地局へ下りデータ伝送状態を報告する方法を示すフローチャートである。
【００１９】
図７は、下りデータ伝送状態メッセージに含まれるビットマップを示す模式図である。
【００２０】
図８は、本発明の例示的な別の実施例において、セカンダリ基地局がマスター基地局へ下りデータ伝送状態を報告する方法を示すフローチャートである。
【００２１】
図９は、本発明に係るセカンダリ基地局の例示的な構造を示すブロック図である。
【００２２】
図１０は、本発明に係るマスター基地局の例示的な構造を示すブロック図である。
〔具体的な実施形態〕
以下、図面と併せて本発明の具体的な実施例を説明することにより、本発明の原理及び実現は明白になる。なお、本発明は下記の具体的な実施例に限定されるものではない。また、本発明に対する理解の混同を避けるように、便宜上、本発明と直接に関連しない公知技術の詳細な説明を省略している。
【００２３】
以下は、例示的な運用環境として、ＬＴＥ  Ｒｅｌ−１２モバイル通信システム及びそれ以降のエボリューションリリースを挙げ、本発明に係るいくつかの実施例を具体的に説明する。但し、本発明は下記の実施例に限定されず、多種の別の無線通信システム、例えば将来の５Ｇセルラ通信システムにも適用可能である。また、ここでは、マスター基地局と１つのセカンダリ基地局とが協働でユーザ機器に通信サービスを提供する場合のみについて、本発明の技術的方案の実現例を説明するが、マスター基地局と１つ以上のセカンダリ基地局とが協働でユーザ機器に通信サービスを提供する場合においても、本発明の技術的方案が同様に適用できることは、当業者に理解できる。
【００２４】
まず、図２を参照しながら、本発明においてセカンダリ基地局が送信成功したＰＤＣＰ  ＰＤＵに対応するＰＤＣＰ  ＰＤＵをマスター基地局が削除可能な通信プロセスを説明する。図に示されたように、まず、ステップ２１０において、セカンダリ基地局がユーザ機器へ、マスター基地局からのＰＤＣＰ  ＰＤＵを送信する。次に、ステップ２２０において、セカンダリ基地局が、Ｘ２インターフェースを通してマスター基地局へ下りデータ伝送状態メッセージを送信する。上記下りデータ伝送状態メッセージは、送信成功したＰＤＣＰ  ＰＤＵのシーケンス番号を少なくとも１つ含む。最後に、ステップ２３０において、マスター基地局が、受信した下りデータ伝送状態メッセージに基づき、マスター基地局内に記憶されているＰＤＣＰ  ＰＤＵを削除する。具体的には、マスター基地局は、上記下りデータ伝送状態メッセージが示しているＰＤＣＰ  ＰＤＵ、及び／または対応するＰＤＣＰ  ＳＤＵがローカルに記憶されているかどうかを判断する。下りデータ伝送状態メッセージが示しているＰＤＣＰ  ＰＤＵ、及び／または対応するＰＤＣＰ  ＳＤＵがまだローカルに記憶されていれば、上記ＰＤＣＰ  ＰＤＵ及び／または対応するＰＤＣＰ  ＳＤＵを削除する。
【００２５】
具体的な実現としては、上記下りデータ伝送状態メッセージはＰＤＣＰ  ＰＤＵのシーケンス番号を１つのみ含むことがある。このような場合、セカンダリ基地局が、マスター基地局からのＰＤＣＰ  ＰＤＵを１つ送信成功するたびに、マスター基地局へ当該ＰＤＣＰ  ＰＤＵのシーケンス番号を含む指示情報を送信する。
【００２６】
下りデータ伝送状態メッセージにより多くの情報(例えば、複数のＰＤＣＰ  ＰＤＵのシーケンス番号及び／または後に図７を参照しながら詳細に説明するビットマップ)が搭載できる場合、セカンダリ基地局は、マスター基地局へ下りデータ伝送状態メッセージを送信する条件が満たされたかどうかを判断し、頻繁にマスター基地局へ下りデータ伝送状態メッセージを送信することを避ける。
【００２７】
本発明の実施例において、上記セカンダリ基地局がマスター基地局へ下りデータ伝送状態メッセージを送信する条件は、下記（１）〜（３）の少なくとも１つを含む。（１）送信成功したＰＤＣＰ  ＰＤＵの数が設定値に達した。（２）設定されたタイマーがタイムアップした。（３）送信成功したＰＤＣＰ  ＰＤＵの最大シーケンス番号と最小シーケンス番号との差が、設定されたビットマップ長に達した。上記設定されたＰＤＣＰ  ＰＤＵの数、タイマーの計時周期またはビットマップ長は、無線リンクの伝送レート、マスター基地局の処理能力、マスター基地局内のＰＤＣＰ  ＳＤＵ削除タイマーの計時周期等の要素に応じて決定し、さらに基地局間無線リソース制御メッセージ（ｉｎｔｅｒ―ｎｏｄｅ  ＲＲＣ  ｍｅｓｓａｇｅ）を用い、Ｘ２インターフェースを通して設定してもよい。上記ＰＤＣＰ  ＰＤＵの送信成功のインジケーションメッセージは、１つまたは複数の送信成功したＰＤＣＰ  ＰＤＵのシーケンス番号及び／またはビットマップを含んでもよい。上記ビットマップ長は、固定長であってもよく、可変長であってもよい。
【００２８】
図３と図４は、図２に示された通信プロセスにおいて、セカンダリ基地局及びマスター基地局によって実行される方法をそれぞれ示したフローチャートである。図３に示されたように、セカンダリ基地局によって実行される、マスター基地局への下りデータ伝送状態の報告方法は、まず、ステップ３１０において、セカンダリ基地局がユーザ機器へ、マスター基地局からのＰＤＣＰ  ＰＤＵを送信する。そしてステップ３２０において、セカンダリ基地局がマスター基地局へ下りデータ伝送状態メッセージを送信する。上記下りデータ伝送状態メッセージは、送信成功したＰＤＣＰ  ＰＤＵのシーケンス番号を少なくとも１つ含む。
【００２９】
図４に示されたように、マスター基地局に実行され、速やかにＰＤＣＰ  ＰＤＵを削除する方法は、ステップ４１０において、マスター基地局がセカンダリ基地局から下りデータ伝送状態メッセージを受信する。上記下りデータ伝送状態メッセージは、送信成功したパケット・データ・コンバージェンス・プロトコル−プロトコル・データ・ユニット（ＰＤＣＰ  ＰＤＵ）のシーケンス番号を少なくとも１つ含む。次に、ステップ４２０において、マスター基地局が上記下りデータ伝送状態メッセージに基づき、マスター基地局内に記憶されているＰＤＣＰ  ＰＤＵを削除する。
【００３０】
以下、図５から８を参照しながら、３つの実施例に係る、セカンダリ基地局がマスター基地局へ下りデータ伝送状態を報告する方法を詳細に説明する。なお、セカンダリ基地局は、マスター基地局へ下りデータ伝送状態メッセージを送信する条件が満たされたかどうか判断する。また、各実施例では、異なる判断条件が用いられる。
【００３１】
図５は、セカンダリ基地局が、送信成功するＰＤＣＰ  ＰＤＵの設定数を判断条件とし、かつ、上記下りデータ伝送状態メッセージに、送信成功したＰＤＣＰ  ＰＤＵのシーケンス番号が複数含まれる場合の実施例を示すフローチャートである。
【００３２】
図に示されたように、ステップ５０１では、セカンダリ基地局は、ＳＮ−ｎｕｍｂｅｒの値を０に設定し、第１のタイマーを起動する。上記ＳＮ−ｎｕｍｂｅｒは、マスター基地局からのＰＤＣＰ  ＰＤＵの送信が成功した数を表す。上記第１のタイマーの値は、基地局間無線リソース制御メッセージを用いてセカンダリ基地局のＲＬＣ実体中に設けてもよく、また、無線リンクの伝送レート、マスター基地局の処理能力、マスター基地局内のＰＤＣＰ  ＳＤＵ削除タイマーの計時周期等の要素に応じて決定してもよい。
【００３３】
ステップ５０２では、セカンダリ基地局は、マスター基地局からのＰＤＣＰ  ＰＤＵを１つ送信成功した後、上記送信成功したＰＤＣＰ  ＰＤＵのシーケンス番号をローカルに記憶すると共に、ＳＮ−ｎｕｍｂｅｒに１を足す（すなわち、ＳＮ−ｎｕｍｂｅｒ＝ＳＮ−ｎｕｍｂｅｒ＋１）。
【００３４】
ステップ５０３では、セカンダリ基地局は、ＳＮ―ｎｕｍｂｅｒの値が、送信成功すべきＰＤＣＰ  ＰＤＵの設定個数に等しいかどうかを判断する。送信成功すべきＰＤＣＰ  ＰＤＵの設定個数に等しい場合には、ステップ５０４を実行する。そうでなければ、ステップ５０６を実行する。
【００３５】
ステップ５０４では、セカンダリ基地局は、Ｘ２インターフェースを通して、送信成功したＰＤＣＰ  ＰＤＵのシーケンス番号を含む下りデータ伝送状態メッセージをマスター基地局へ送信する。選択可能な構成として、上記下りデータ伝送状態メッセージは送信成功したＰＤＣＰ  ＰＤＵの数を含んでもよい。
【００３６】
ステップ５０５では、セカンダリ基地局は、マスター基地局からのＰＤＣＰ  ＰＤＵがすべて送信完了されたどうかを判断する。送信完了されていなければ、ステップ５０１を実行し、引き続きＰＤＣＰ  ＰＤＵを送信する。送信完了されていれば、終了する。
【００３７】
ステップ５０６では、セカンダリ基地局は、第１のタイマーがタイムアップしたかどうかを判断する。第１のタイマーがタイムアップしていれば、ステップ５０４を実行する。そうでなければ、ステップ５０７を実行する。
【００３８】
ステップ５０７では、セカンダリ基地局は、マスター基地局からのＰＤＣＰ  ＰＤＵがすべて送信完了されたかどうかを判断する。送信完了されていなければ、ステップ５０２を実行し、引き続きＰＤＣＰ  ＰＤＵを送信する。送信完了されていれば、ステップ５０８を実行し、マスター基地局へ下りデータ伝送状態メッセージを送信する。
【００３９】
図５に示された方法を用いることにより、セカンダリ基地局は、設定された個数のＰＤＣＰ  ＰＤＵを送信成功するたびに、ＰＤＣＰ  ＰＤＵを削除するようにマスター基地局に指示する。
【００４０】
図６は、セカンダリ基地局が、設定された計時周期を判断条件とし、かつ、上記下りデータ伝送状態メッセージに、送信成功したＰＤＣＰ  ＰＤＵのシーケンス番号が複数含まれる場合の実施例を示すフローチャートである。
【００４１】
図に示されたように、ステップ６０１では、セカンダリ基地局は、第２のタイマーを起動する。上記第２のタイマーの値は、基地局間無線リソース制御メッセージを用いてセカンダリ基地局のＲＬＣ実体中に設けてもよく、また、無線リンクの伝送レート、マスター基地局の処理能力、マスター基地局内のＰＤＣＰ  ＳＤＵ削除タイマーの計時周期等の要素に応じて決定してもよい。
【００４２】
ステップ６０２では、セカンダリ基地局は、マスター基地局からのＰＤＣＰ  ＰＤＵを１つ送信成功した後、上記送信成功したＰＤＣＰ  ＰＤＵのシーケンス番号をローカルに記憶する。
【００４３】
ステップ６０３では、セカンダリ基地局は、第２のタイマーがタイムアップしたかどうかを判断する。第２のタイマーがタイムアップしていれば、ステップ６０４を実行する。そうでなければ、ステップ６０６を実行する。
【００４４】
ステップ６０４では、セカンダリ基地局は、Ｘ２インターフェースを通して、送信成功したＰＤＣＰ  ＰＤＵのシーケンス番号を含む下りデータ伝送状態メッセージをマスター基地局へ送信する。選択可能な構成として、上記下りデータ伝送状態メッセージは送信成功したＰＤＣＰ  ＰＤＵの数を含んでもよい。
【００４５】
ステップ６０５では、セカンダリ基地局は、マスター基地局からのＰＤＣＰ  ＰＤＵがすべて送信完了されたどうかを判断する。送信完了されていなければ、ステップ６０１を実行し、引き続きＰＤＣＰ  ＰＤＵを送信する。送信完了されていれば、終了する。
【００４６】
ステップ６０６では、セカンダリ基地局は、マスター基地局からのＰＤＣＰ  ＰＤＵがすべて送信完了されたかどうかを判断する。送信完了されていなければ、ステップ６０２を実行し、引き続きＰＤＣＰ  ＰＤＵを送信する。送信完了されていれば、ステップ６０７を実行し、Ｘ２インターフェースを通して、マスター基地局へ下りデータ伝送状態メッセージを送信する。
【００４７】
図６に示された方法を用いることにより、セカンダリ基地局は、第２のタイマーがタイムアップするたびに、ＰＤＣＰ  ＰＤＵを削除するようにマスター基地局に指示する。
【００４８】
図７はビットマップの構造の例示的な実施例を示す。図７に示されたビットマップ長は、固定長であってもよく、可変長であってもよい。ビットマップ内の指示ビット値が１であれば、対応する当該ＰＤＣＰ  ＰＤＵを送信成功したことを意味する。該値が０であれば、対応する当該ＰＤＣＰ  ＰＤＵをまだ送信成功していないことを意味する。また、マスター基地局のＲＬＣ実体により送信されるすべてのＰＤＣＰ  ＰＤＵに対応するビット値がいずれも０である。例えば、送信すべきＰＤＣＰ  ＳＤＵがマスター基地局に１０個存在し、うちに、シーケンス番号１、２、５、７、９のＰＤＣＰ  ＳＤＵが、マスター基地局内に位置するＲＬＣ実体へ送信され、シーケンス番号０、３、４、６、８のＰＤＣＰ  ＳＤＵが、セカンダリ基地局内に位置するＲＬＣ実体へ送信されると仮定する。また、送信成功したＰＤＣＰ  ＰＤＵの最小シーケンス番号が３であると仮定する。そうすると、下りデータ伝送状態メッセージ内のビットマップは、図７のようにしてもよい。具体的には、図７に示されたビットマップにおいて、送信成功したＰＤＣＰ  ＰＤＵのシーケンス番号はそれぞれ４、６である。シーケンス番号５のＰＤＣＰ  ＳＤＵがマスター基地局のＲＬＣ実体により送信されるため、シーケンス番号５のＰＤＣＰ  ＰＤＵに対応するビットマップ内の指示ビット値は０である。なお、シーケンス番号３のＰＤＣＰ  ＰＤＵのシーケンス番号は、すでに下りデータ伝送状態メッセージのメッセージヘッダ内の、送信成功したＳＤＵの最小シーケンス番号フィールドに示されているため、ビットマップ中に示す必要がない。ビットマップ内の指示ビット値は、区別できる任意の２つの値であってもよく、｛０、１｝、｛Ｔｒｕｅ、Ｆａｌｓｅ}を含むが、これらに限定されない。
【００４９】
一実施例として、上記下りデータ伝送状態メッセージに、可変長を有するビットマップが含まれる実施例のフローチャートは、図６の示したように上記下りデータ伝送状態メッセージに、送信成功したＰＤＣＰ  ＰＤＵのシーケンス番号が複数含まれる実施例のフローチャートと同様である（すなわち、設定された計時周期を、インジケーションメッセージを送信するかどうかの判断条件とする）。ただし、ステップ６０４で送信した下りデータ伝送状態メッセージには、送信成功したＰＤＣＰ  ＰＤＵの最小シーケンス番号と、該最小シーケンス番号のＰＤＣＰ  ＰＤＵに続くＰＤＣＰ  ＰＤＵをセカンダリ基地局が送信成功したかどうかを示すビットマップと、が含まれる。上記ビットマップは、ステップ６０２で記憶された送信成功したＰＤＣＰ  ＰＤＵのシーケンス番号に基づいて生成される。具体的には、セカンダリ基地局のローカルに記憶されている送信成功したＰＤＣＰ  ＰＤＵに対応するビットマップ内の指示ビット値が１であり、ビットマップ内の他の指示ビット値が０である。選択可能な構成として、上記下りデータ伝送状態メッセージはビットマップ長を含んでもよい。
【００５０】
図８は、上記下りデータ伝送状態メッセージに、固定長を有するビットマップが含まれる例示的な実施例を示すフローチャートである。
【００５１】
図に示されたように、ステップ８００１では、セカンダリ基地局は、第３のタイマーを起動し、送信成功したＰＤＣＰ  ＰＤＵの最小シーケンス番号及び最大シーケンス番号を初期値に設定する。上記第３のタイマーの値は、基地局間無線リソース制御メッセージを用いてセカンダリ基地局のＲＬＣ実体中に設けてもよく、また、無線リンクの伝送レート、マスター基地局の処理能力、マスター基地局内のＰＤＣＰ  ＳＤＵ削除タイマーの計時周期等の要素に応じて決定してもよい。上記初期値は、送信待ちのＰＤＣＰ  ＰＤＵのシーケンス番号とは異なる特殊な値であり、例えば、「−１」、「無限大」、「無限小」である。
【００５２】
ステップ８００２では、セカンダリ基地局は、マスター基地局からのＰＤＣＰ  ＰＤＵを１つ送信成功した後、上記送信成功したＰＤＣＰ  ＰＤＵのシーケンス番号をローカルに記憶すると共に、送信成功したＰＤＣＰ  ＰＤＵの最小シーケンス番号及び最大シーケンス番号の値を更新する。
【００５３】
具体的には、送信成功したＰＤＣＰ  ＰＤＵの最小シーケンス番号が初期値であれば、上記ローカルに記憶された送信成功したＰＤＣＰ  ＰＤＵのシーケンス番号を、送信成功したＰＤＣＰ  ＰＤＵの最小シーケンス番号とする。送信成功したＰＤＣＰ  ＰＤＵの最小シーケンス番号が、上記ローカルに記憶された送信成功したＰＤＣＰ  ＰＤＵのシーケンス番号よりも大きければ、送信成功したＰＤＣＰ  ＰＤＵの最小シーケンス番号を、上記ローカルに記憶された送信成功したＳＤＵのシーケンス番号に更新する。送信成功したＰＤＣＰ  ＰＤＵの最大シーケンス番号が初期値であれば、または、送信成功したＰＤＣＰ  ＰＤＵの最大シーケンス番号が、ローカルに記憶された送信成功したＰＤＣＰ  ＰＤＵのシーケンス番号よりも小さければ、送信成功したＰＤＣＰ  ＰＤＵの最大シーケンス番号を、ローカルに記憶された送信成功したＰＤＣＰ  ＰＤＵのシーケンス番号に更新する。
【００５４】
ステップ８００３では、セカンダリ基地局は、送信成功したＰＤＣＰ  ＰＤＵの最大シーケンス番号と最小シーケンス番号との差が、設定されたビットマップ長に等しいかどうかを判断する。設定されたビットマップ長に等しい場合には、ステップ８００４を実行する。そうでなければ、ステップ８００６を実行する。
【００５５】
ステップ８００４では、セカンダリ基地局は、Ｘ２インターフェースを通して、マスター基地局へ下りデータ伝送状態メッセージを送信する。上記下りデータ伝送状態メッセージは、送信成功したＰＤＣＰ  ＰＤＵの最小シーケンス番号と、該最小シーケンス番号のＰＤＣＰ  ＰＤＵに続くＰＤＣＰ  ＰＤＵをセカンダリ基地局が送信成功したかどうかを示すビットマップと、を含む。上記ビットマップは、ステップ８００２で記憶された送信成功したＰＤＣＰ  ＰＤＵのシーケンス番号に基づいて生成される。具体的には、セカンダリ基地局のローカルに記憶されている送信成功したＰＤＣＰ  ＰＤＵに対応するビットマップ内の指示ビット値が１であり、ビットマップ内の他の指示ビット値が０である。
【００５６】
ステップ８００５では、セカンダリ基地局は、マスター基地局からのＰＤＣＰ  ＰＤＵがすべて送信完了されたかどうかを判断する。送信完了されていなければ、ステップ８００１を実行し、引き続きＰＤＣＰ  ＰＤＵを送信する。送信完了されていれば、終了する。
【００５７】
ステップ８００６では、セカンダリ基地局は、送信成功したＰＤＣＰ  ＰＤＵの最大シーケンス番号と最小シーケンス番号との差が、設定されたビットマップ長よりも大きいかどうかを判断する。設定されたビットマップ長よりも大きければ、ステップ８００９を実行する。そうでなければ、ステップ８００７を実行する。
【００５８】
ステップ８００７では、セカンダリ基地局は、第３のタイマーがタイムアップしたかどうかを判断する。第３のタイマーがタイムアップしていれば、ステップ８００４を実行する。そうでなければ、ステップ８００８を実行する。
【００５９】
ステップ８００８では、セカンダリ基地局は、マスター基地局からのＰＤＣＰ  ＰＤＵがすべて送信完了されたかどうかを判断する。送信完了されていなければ、ステップ８００２を実行し、引き続きＰＤＣＰ  ＰＤＵを送信する。送信完了されていれば、終了する。
【００６０】
ステップ８００９では、セカンダリ基地局は、Ｘ２インターフェースを通して、マスター基地局へ下りデータ伝送状態メッセージを送信する。上記下りデータ伝送状態メッセージは、送信成功したＰＤＣＰ  ＰＤＵの最小シーケンス番号と、該最小シーケンス番号のＰＤＣＰ  ＰＤＵに続くＰＤＣＰ  ＰＤＵをセカンダリ基地局が送信成功したかどうかを示すビットマップと、を含む。上記ビットマップは、ステップ８００２で記憶された送信成功したＰＤＣＰ  ＰＤＵのシーケンス番号に基づいて生成される。具体的には、セカンダリ基地局のローカルに記憶されている送信成功したＰＤＣＰ  ＰＤＵに対応するビットマップ内の指示ビット値が１であり、ビットマップ内の他の指示ビット値が０である。また、ステップ８００９では、セカンダリ基地局はタイマーを再起動すると共に、ローカルに記憶されている送信成功したＰＤＣＰ  ＰＤＵのうち、直近に送信成功したＰＤＣＰ  ＰＤＵ以外のＰＤＣＰ  ＰＤＵを削除し、さらに、送信成功したＰＤＣＰ  ＰＤＵの最大シーケンス番号及び最小シーケンス番号を、上記直近に送信成功したＰＤＣＰ  ＰＤＵのシーケンス番号に変更する。
【００６１】
ステップ８０１０では、セカンダリ基地局は、マスター基地局からのＰＤＣＰ  ＰＤＵがすべて送信完了されたかどうかを判断する。送信完了されていなければ、ステップ８００２を実行し、引き続きＰＤＣＰ  ＰＤＵを送信する。そうでなければ、ステップ８０１１を実行する。
【００６２】
ステップ８０１１では、セカンダリ基地局は、Ｘ２インターフェースを通して、マスター基地局へ下りデータ伝送状態メッセージを送信する。上記下りデータ伝送状態メッセージは、送信成功したＰＤＣＰ  ＰＤＵの最小シーケンス番号を含む。選択可能な構成として、上記下りデータ伝送状態メッセージは、各指示ビット値が何れも０であるビットマップをさらに含んでもよい。
【００６３】
本発明の実施例において、上記ビットマップ長は、基地局間無線リソース制御メッセージを用い、Ｘ２インターフェースを通して、セカンダリ基地局のＲＬＣ実体に設けてもよい。上記無線リソース制御メッセージは、マスター基地局からセカンダリ基地局へ送信される、ユーズ機器のために余分なリソースの割り当てを要求する要求メッセージ内に含まれて送信されるか、独立したメッセージとして送信されてもよい。
【００６４】
図８に示された方法を用いることにより、セカンダリ基地局は、送信成功したＰＤＣＰ  ＰＤＵの最大シーケンス番号と最小シーケンス番号との差が、設定されたビットマップ長に達するたびに、ＰＤＣＰ  ＰＤＵを削除するようにマスター基地局に指示する。
【００６５】
上記セカンダリ基地局がマスター基地局へ下りデータ伝送状態を報告する方法と対応するように、本発明は、関連するセカンダリ基地局９００も提供する。図９は該セカンダリ基地局９００の構造を示すブロック図である。
【００６６】
図９に示されたように、本発明に係るセカンダリ基地局９００は、ユーザ機器へＰＤＣＰ  ＰＤＵを送信するためのデータ送信ユニット９１０と、下りデータ伝送状態メッセージをマスター基地局へ送信するための下りデータ伝送状態メッセージ送信ユニット９３０とを含む。上記下りデータ伝送状態メッセージは、送信成功したＰＤＣＰ  ＰＤＵのシーケンス番号を少なくとも１つ含む。
【００６７】
予備に選択される構成として、セカンダリ基地局９００は、判断ユニット９２０をさらに含んでもよい。該判断ユニット９２０は、下記条件（１）〜（３）の少なくとも１つが満たされたかどうかに基づいて、マスター基地局へ下りデータ伝送状態メッセージを送信するかどうかを判断する。（１）送信成功したＰＤＣＰ  ＰＤＵの数が設定値に達した。（２）設定されたタイマーがタイムアップした。（３）送信成功したＰＤＣＰ  ＰＤＵの最大シーケンス番号と最小シーケンス番号との差が、設定されたビットマップ長以上である。
【００６８】
上記マスター基地局が速やかにＰＤＣＰ  ＰＤＵを削除する方法と対応するように、本発明は、関連するマスター基地局１０００も提供する。図１０は該マスター基地局１０００の構造を示すブロック図である。
【００６９】
図１０に示されたように、本発明にかかるマスター基地局１０００は、セカンダリ基地局から下りデータ伝送状態メッセージを受信するための下りデータ伝送状態メッセージ受信ユニット１０１０と、上記下りデータ伝送状態メッセージに基づき、マスター基地局に記憶されているＰＤＣＰ  ＰＤＵを削除するためのＰＤＣＰ  ＰＤＵ削除ユニット１０２０とを含む。上記下りデータ伝送状態メッセージは、送信成功したパケット・データ・コンバージェンス・プロトコル−プロトコル・データ・ユニット（ＰＤＣＰ  ＰＤＵ）のシーケンス番号を少なくとも１つ含む。
【００７０】
本発明が提供する技術的方案を用いることにより、マスター基地局は、セカンダリ基地局がＰＤＣＰ  ＰＤＵを送信成功した後に、対応するＰＤＣＰ  ＰＤＵを速やかに削除することができる。したがって、マスター基地局の記憶スペースを節約することができ、上位のレイヤからより多くのサービス・データ・ユニットを受信することができる。
【００７１】
以上、本発明の好ましい実施形態を例示し本発明について説明したが、本発明の精神及び範囲を逸脱しない限り、本発明に対して種々の改良、置換及び変更を行うが可能であることが、当業者に理解される。したがって、本発明は、上記実施形態に限定されず、添付される特許請求の範囲及びその均等的ものにより限定されるべきである。
【図面の簡単な説明】
【００７２】
【図１】３ＧＰＰ  ＴＲ３６．８４２において提案されたデュアル接続設定のオプション３Ｃを示す図である。
【図２】本発明において、セカンダリ基地局が送信成功したＰＤＣＰ  ＰＤＵをマスター基地局が削除可能な通信プロセスを示す系列図である。
【図３】本発明において、セカンダリ基地局がマスター基地局へ下りデータ伝送状態を報告する方法を示すフローチャートである。
【図４】本発明において、マスター基地局が速やかにＰＤＣＰ  ＰＤＵを削除する方法を示すフローチャートである。
【図５】本発明の例示的な一実施例において、セカンダリ基地局がマスター基地局へ下りデータ伝送状態を報告する方法を示すフローチャートである。
【図６】本発明の例示的な別の実施例において、セカンダリ基地局がマスター基地局へ下りデータ伝送状態を報告する方法を示すフローチャートである。
【図７】下りデータ伝送状態メッセージに含まれるビットマップを示す模式図である。
【図８】本発明の例示的な別の実施例において、セカンダリ基地局がマスター基地局へ下りデータ伝送状態を報告する方法を示すフローチャートである。
【図９】本発明に係るセカンダリ基地局の例示的な構造を示すブロック図である。
【図１０】本発明に係るマスター基地局の例示的な構造を示すブロック図である。
【図１】
2017508364.tif 000003
【図２】
2017508364.tif 000004
【図３】
2017508364.tif 000005
【図４】
2017508364.tif 000006
【図５】
2017508364.tif 000007
【図６】
2017508364.tif 000008
【図７】
2017508364.tif 000009
【図８】
2017508364.tif 000010
【図９】
2017508364.tif 000011
【図１０】
2017508364.tif 000012
【国際調査報告】
2017508364.tif 000013
2017508364.tif 000014
2017508364.tif 000015
2017508364.tif 000016
2017508364.tif 000017